(57)【特許請求の範囲】
【請求項１】
胴本体の開放面にドラムヘッドを張設した打楽器において、
前記ドラムヘッドを前記胴本体の開口面に張設するに際して、リムがドラムヘッドの周縁部材を押し付けることにより、ドラムヘッドを胴本体に張設可能な構成とし、更に、
前記張設力を第１のレベルと第２のレベルとの間で調節可能であり、且つ、前記張設力を前記第１のレベルと前記第２のレベルとの間で双方向において除々に変更可能とする張設力調整機構を備え、更に、
前記胴本体外周面には、その縦方向において適宜の間隔でラグが設けられ、
前記張設力調整機構は、
前記リムと連接された、長穴が形成された段差付ガイドを介して、ボルトを前記ラグに締結して前記ドラムヘッドを張設する構成とされ、
前記段差付ガイドの厚み部分が、前記長穴の長手方向に沿って、第１の厚さ部とこれより薄い第２の厚さ部とその両厚さ部間で除々に厚さが変化する厚み傾斜部とで構成されたことを特徴とする打楽器。
【発明の詳細な説明】
【技術分野】
【０００１】
本発明は、胴本体の開放面に張設したドラムヘッドで成る打楽器におけるこのドラムヘッドの張設力を調整する機能を備えた打楽器の改良に関する。
【背景技術】
【０００２】
従来から、打楽器の練習をスタジオ内ではなく通常の室内においても行うことを可能にするために、ドラム等の打楽器において、胴本体の開放面に張設されたドラムヘッド（通常「打面シート」とも称される）の張設力を変更してミュート機能を実現すべく様々な提案がなされてきた。例えば、ドラムヘッドの裏面側（即ち、胴本体内部側）において、フェルトパッドを押し付ける操作を行うための機構や、ドラムヘッドの表面上側から制振板をドラムヘッドに接触させてミュート機能を実現するもの等が提案されていた（例えば、特許文献１参照）。更に、打楽器の外側から空気を供給し、胴本体内を膨張させて、ドラムヘッドの張設力を調整するものも提案されていた（例えば、特許文献２参照）。
【０００３】
【特許文献１】特開２００４−１２９８７号公報（第２−４頁、第７図）
【特許文献２】米国特許第６３５１９２号明細書
【発明の開示】
【発明が解決しようとする課題】
【０００４】
しかしながら、上述した空気を供給するタイプの打楽器は、ドラムヘッドの張設力を調節して打音のピッチを変更することには効果はあるものの、ミュート機能を意識した構成とはされていなかった。また、上述したように各種の機構によってドラムヘッドの張設力を調整したり、ドラムヘッドの振動を抑制するようにしても音色が変更する効果はあるものの、音量を急激に抑制可能なものではなかった。
【０００５】
本発明は、かかる従来の課題を解決するためになされたもので、胴本体の開放面に張設したドラムヘッドでなる打楽器における効果的なミュート機能を簡易な構成で実現可能な打楽器を提供することを目的とする。
【課題を解決するための手段】
【０００８】
上記目的を達成するために、本発明は、胴本体の開放面にドラムヘッドを張設した打楽器において、
前記ドラムヘッドを前記胴本体の開口面に張設するに際して、リムがドラムヘッドの周縁部材を押し付けることにより、ドラムヘッドを胴本体に張設可能な構成とし、更に、
前記張設力を第１のレベルと第２のレベルとの間で調節可能であり、且つ、前記張設力を前記第１のレベルと前記第２のレベルとの間で双方向において除々に変更可能とする張設力調整機構を備え、更に、
前記胴本体外周面には、その縦方向において適宜の間隔でラグが設けられ、
前記張設力調整機構は、
前記リムと連接された、長穴が形成された段差付ガイドを介して、ボルトを前記ラグに締結して前記ドラムヘッドを張設する構成とされ、
前記段差付ガイドの厚み部分が、前記長穴の長手方向に沿って、第１の厚さ部とこれより薄い第２の厚さ部とその両厚さ部間で除々に厚さが変化する厚み傾斜部とで構成されたことを特徴とする打楽器を提供する。
【０００９】
この発明によれば、張設力調整機構が、ドラムヘッドの張設力を第１のレベルと第２のレベル間で調節可能であると共に、張設レベルを、第１のレベルと第２のレベルとの間で双方向において除々に変更可能とすることができる。この結果、両レベル間での切換え操作が極めて簡単となり両レベル間において除々に張設力レベルを変化させることができ、ミュート機能も効果的に実現できる。  
【発明の効果】
【００１０】
本発明によれば、胴本体の開放面に張設したドラムヘッドでなる打楽器における効果的なミュート機能を実現可能な簡易な構成の打楽器を提供することができるという効果が得られる。
【発明を実施するための最良の形態】
【００１１】
以下、本発明を実施するための最良の形態を図面を参照しつつ説明する。
【００１２】
（全体構成）
図１は本発明の実施形態である打楽器１の外観の模式的外観図である。また、図２は打楽器１の平面図である。図１、図２に示すように、外観視筒状体の胴本体２０（「シェル」とも称する）の上面である開放面にはドラムヘッド１０が胴本体１に張設されている。また、胴本体１の外周面には、その縦方向において適宜の間隔を設けてラグ３０が配置されている。本例では４個のラグしか設けていないがラグ３０の数は４個に限られない。また、後に説明するように、テンションボルト１００の支持部を連接しているリム４０が、ドラムヘッド１０の外縁部を押さえ付けるようにして、テンションボルト１００がラグ３０にねじ込まれて締結され所定の張設力でドラムヘッド１０が張設されている。
【００１３】
（構成１）
図３は本発明の実施形態の打楽器１の第１の構成の模式的説明図である。図３は胴本体１の内部を模式的に説明したものである。正面視ドラムヘッド１０よりやや径が大きく肉厚の基準部材５５の上面は基準面５０となっている。基準部材５５の基準面５０の上には外観視、蛇腹形状で空気の供給・排出によって縦方向に伸縮可能な蛇腹部７０が設けられ、更に、この蛇腹７０の上側端部には、弾性力を有する複数の突起（例えばゴム性部材）が形成された制御部８０が構成されている。この制御部８０の複数の突起は全体でドラムヘッド１０の裏面全体を満遍なく押すように構成されている。つまり、ドラムヘッド１０の裏面全体を満遍なく押すことができるように突起数、突起間隔等が調整されている。そして、基準部材５５には、空気を蛇腹部７０に供給するための空気流入管６０と蛇腹部７０の空気を排出するための空気排出管６５とが貫通している。
【００１４】
（作用１）
今、図３（ａ）の状態において、空気排出管６５からの排出を停止させた状態（不図示の栓等を装着して排出を停止させる）で、空気流入管６０に空気を供給していくと、図３（ｂ）に示すように、ドラムヘッド１０と基準面５０との間隔を一定としながら蛇腹部７０が伸長する。その結果、制御部８０の複数の突起がドラムヘッド１０の裏面全体を押圧する。なお、元に戻す場合には、空気排出管６５から空気を抜く。
【００１５】
このように、空気の供給・排出により膨張、伸縮する蛇腹部８０が空気の供給によって伸長することによって、弾性力を有する複数の突起部の夫々がドラムヘッド１０の裏面全体を押圧するので、ドラムヘッド１０裏面全体が万遍なく押圧されてミュート機能が効果的となる。つまり、打音の音色を変更させるよりも打音の音量を効果的に低減することが可能になる。
【００１６】
（構成２）
次に、図４乃至図６を参照して第２の構成とその作用を説明する。なお、理解の容易化のため、最初に図７を参照して従来の打楽器を説明する。リム４０には、テンションボルト１００の支持部が連接されており、一方、胴本体２０側にはこのテンションボルト１００の先端部に形成されたねじを締結するためのラグ３０が設けられている。ドラムヘッド１０の外周縁にはヘッド周縁部材１２が形成されており、これをリム４０が上方から押し付け、ドラムヘッド１０を胴本体２０に張設すべく、テンションボルト１００をラグ３０にねじ込む。かくして、ドラムヘッド１０は胴本体２０の上面開放部に張設されることとなる。しかし、この構成では、ボルト締め量を初期位置まで戻したり、最大ボルト締め量がどの程度であるかはわからず張力調整に手数がかかるうえ、音色をあまり変えずに打音音量を急激に変更する張力調整を行えず、ミュート機能が効果的で、且つ、操作性の良いミュート機能を実現できなかった。
【００１７】
これに対して、図４（図４（ｂ）上図は図４（ａ）の左側面の模式図である）及び図５に示すように、本発明の実施形態の打楽器１は、リム４０に、スライド用長穴１０７が形成された段差付ガイド１１０を設け、この段差付ガイド１１０に沿ってテンションボルト１００の位置を調整可能になっている。なお、図４（ｂ）においてこの長穴の方向は紙面垂直方向である。また、図４（ａ）に示すように、段差付ガイド１１０は、その厚みが最も厚い部分（第1の部分）と、その厚みが最も薄い部分（第２の部分）と、この両者の部分の間にあってその厚みを第１の部分と第２の部分との間で除々に変化させた中間の部分とから構成されている。図４（ａ）の下図及び図５において、「厚」と記載したのは上記第１の部分、「薄」と記載したのは上記第２の部分、それ以外の「傾（斜）」と記載したのは上記の中間部分に対応する。
【００１８】
図５に示すように、リム４０に連接された部分に形成されたスライド用長穴１０７は、図面左右方向にテンションボルト１００を移動させるためのものであり、このスライド用長穴１０７は、図面横長の段差付ガイド１０７の内面に設けられている。そのため、テンションボルト１００の頭部側の径は、スライド用長穴１０７よりも大きく設定されていてテンションボルト１００がスライド用長穴１０７を付き抜けていかないようにされている。また、図５のようにワッシャ１０５を噛ませるようにすれば、ボルト頭部の大きさに関わらず締め付けを強固に行うことができる。
【００１９】
さらに、図４（ｂ）に示すように、ラグ３０内には、テンションボルト１００の先端部を締結させるための雌ねじ穴板１１１が内蔵されていて、この雌ねじ穴板１１１自体も、ボルト移動方向（図４（ｂ）紙面垂直方向）に移動可能に構成されている。これを実現するためには、例えば、ラグ３０に雌ねじ穴板１１１のスライドを可能とするために、紙面垂直方向に当該板１１１の厚みに見合ったスライド溝を設けた構成にしておけば良い。
【００２０】
（作用２）  次に図６を参照して作用を説明する。なお、図６は作用を説明する模式的説明図であり、リム４０、ドラムヘッド１０、段差付ガイド１１０の上下の位置関係は図５とは正確には対応しない。また、長穴等は、図面左右方向に延在するように直線的に表現しているが厳密には胴本体２０の成す外円周の円弧状に存在する。さて、テンションボルト１００を図面最も左側に配置させると、段差付ガイド１１０の鉛直方向の厚みが最も薄い薄板部に位置する。この状態でテンションボルト１００をラグ３０内の雌ねじ穴板１１１のねじ部に締め付けると、ドラムヘッド１０の張力が最も小さくなる（図６（ａ）参照）。一方、テンションボルト１００を図面最も右側に配置させると、段差付ガイド１１０の鉛直方向の厚みが最も厚い厚板部に位置する。この状態でテンションボルト１００をラグ３０内の雌ねじ穴板１１１のねじ部に締め付けると、ドラムヘッド１０の張力が最も大きくなる（図６（ｂ）参照）。なお、図６（ａ）、図６（ｂ）の下図は夫々の上図に対する底面図（図面下側から見た図）となっている。また、図６（ａ）および図６（ｂ）の下図においては、理解容易のため、雌ねじ穴板１１１の替わりに平面状ナット１３０を締め付けた例を図示している。
【００２１】
この厚板部と薄板部の厚みのそれぞれを、所望の音量低減できるように設定しておけば、所望の音量の切換えを簡単な操作で行えることが可能である。例えば、薄板部を通常スタジオ等で打音時に利用する場合の張設力に対応し、一方、厚板部を室内等でミュートを起動する場合の張設力に対応させるようにすれば、両者間での張設力切換えは極めて簡単に行える。従来のようにねじ締めの具合により一々調整することを不要とする。さらに、傾斜部を利用して張設力の微調整を簡単に行うことができる。
【００２２】
以上は、リム４０に段差付ガイド１１０を設けた構成を例にとり説明してきたが、ラグ３０内部の方に段差付ガイド１１０を内蔵させてリム４０により、ドラムヘッド１０を張設する構成としても良く、この場合にはラグ３０にはボルト締めを行うための適宜の開口部が形成された構成とする。更に、以上の構成は最適な構成例に過ぎず、リム４０の押し付けによりドラムヘッド１０の張設力をワンタッチで切換え可能で、且つ、最大および最小張設力間での微量の張設力調整が可能な構成であればこれに限られない。
【産業上の利用可能性】
【００２３】
以上説明してきたように、本発明は、ミュート機能を備えた胴本体の開放面にドラムヘッドを張設した打楽器を提供することができる。
【図面の簡単な説明】
【００２４】
【図１】打楽器１の外観を示す模式的な説明図である。
【図２】本発明の実施形態である打楽器１の平面図である。
【図３】空気を利用したミュート機構の模式的な説明図である。
【図４】段差付ガイド１１０を用いた機構の構成の説明図である。
【図５】段差付ガイド１１０を用いた機構の構成の説明図である。
【図６】作用の模式的な説明図である。
【図７】従来の打楽器のミュート機構の構成の説明図である。
【符号の説明】
【００２５】
１  打楽器
２０  胴本体
３０  ラグ
４０  リム
５５  基準部材
６０  空気流入管
６５  空気排出管
７０  蛇腹部
８０  制御部
１００  テンションボルト
１０５  ワッシャ−
１０７  スライド用長穴
１１０  段差付ガイド
１１１  雌ねじ穴板
１３０  ナット
【図１】
0004982660.tif 000002
【図２】
0004982660.tif 000003
【図３】
0004982660.tif 000004
【図４】
0004982660.tif 000005
【図５】
0004982660.tif 000006
【図６】
0004982660.tif 000007
【図７】
0004982660.tif 000008